(57)【要約】【課題】扉体の開放検知性能を向上させることのできる遊技機を提供する。【解決手段】パチンコ機１０は、外枠１１と、これに対し開閉可能に支持された内枠１２と、内枠１２に対し開閉可能に支持された前面枠セット１４とを備えるとともに、外枠１１に対し内枠１２を施錠する施錠機構と、内枠１２に対し前面枠セット１４を施錠する施錠機構とを具備した施錠装置を備えている。さらに、内枠１２の下部には、前面枠セット１４の開放を検知するための前面枠開放検知スイッチと、内枠１２の開放を検知するための内枠開放検知スイッチとが取付けられている。両開放検知スイッチは、シリンダ錠７００の高さ位置より下方位置において、施錠装置に略隣接した状態で配置されている。【選択図】      図１
2020089756.tif 000002
【特許請求の範囲】
【請求項１】
固定枠に対し左右一側部にて開閉可能に支持された扉体を備えるとともに、
鍵により操作される錠部材の動作に連動して、前記扉体の開放を規制する施錠状態と、前記扉体の開放を許容する解錠状態とに切換わる施錠装置が前記固定枠又は前記扉体の左右他側部に設けられる遊技機であって、
前記扉体の開放を検知する扉体開放検知手段を、少なくともその一部が前記錠部材の高さ位置又はそれより下方位置に位置し、かつ、前記施錠装置の近傍に又は前記施錠装置に略隣接した状態で配置したことを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、遊技機前面部を構成する前面枠などがメンテナンス等の観点から開閉可能な扉体として設けられている。そして、この前面枠などの扉体を遊技ホールにて店員以外の者が無断で開放できないように、遊技機には施錠装置が設けられている。
【０００３】
それにもかかわらず、遊技ホールでは営業中に、例えばパチンコ機の施錠装置を不正に解錠して前面枠を開放し、針金等の線材や「セル板」と称される薄板状の部材などを差込み、遊技盤面上の入賞装置等を強制的に開放して多くの遊技媒体を獲得する不正行為などが行われることがあった。
【０００４】
これを防止するため、近年では、前面枠などの扉体の開放を検知する開放検知スイッチを設け、当該扉体の開放があった場合には、開放信号が出力される等して、その旨が遊技ホールのホールコンピュータなどに報知される仕組みも採用されている。
【０００５】
例えば、パチンコ機において、遊技機本体（内枠）を構成する樹脂ベースの上部等に前面枠用の開放検知スイッチを設けたものがある（例えば特許文献１参照）。この構成では、開放検知スイッチのスイッチ部が、前面枠の閉鎖時には当該前面枠により押圧され没入状態となる。一方、前面枠の開放時にはスイッチ部が突出状態となり、前面枠の開放が検知される。
【先行技術文献】
【特許文献】
【０００６】
【特許文献１】特開２００６−２６３０２６号公報
【発明の概要】
【発明が解決しようとする課題】
【０００７】
ところが、上述した開放検知スイッチでは、施錠装置を解錠して前面枠をある程度開いた状態においてはじめて、スイッチ部が突出状態となり、前面枠の開放が検知されることになる。そのため、上記従来技術のように、前面枠の回動軸側（例えば左側）寄りに開放検知スイッチが設けられていると、前面枠を僅かに開く程度では、その開放が検知されないおそれがある。つまり、前面枠を僅かに開き、その僅かな隙間から線材等を差込み、上記不正行為が行われるおそれがあった。例えば、前面枠全体を開放することなく、前面枠の開放側下部（例えば右側下部）のみを強引に開いた状態で、僅かに開いた隙間から線材等を差込み、上記不正行為が行われた場合には、上記従来技術ではその検知は難しい。
【０００８】
なお、上記不具合は、パチンコ機の遊技機本体に対し開閉可能に設けられた前面枠を一例に説明したが、例えばパチンコ機の遊技機本体（内枠）についても、遊技機本体を開放して本体裏側に設けられた制御機器を不正に操作したり交換する等の不正行為が行われるおそれがあるため同様の問題が生じうる。つまり、上記不具合は、開閉可能に設けられた各種扉体を備えた遊技機において同様に発生する問題であり、パチンコ機に限らず他の遊技機にも該当する問題である。
【０００９】
本発明は、上記課題を解決するためになされたものであり、その目的は、扉体の開放検知性能を向上させることのできる遊技機を提供することにある。
【課題を解決するための手段】
【００１０】
以下、上記課題等を解決するのに適した各手段を項分けして説明する。なお、必要に応じて対応する手段に特有の作用効果等を付記する。
【００１１】
手段１．固定枠に対し左右一側部にて開閉可能に支持された扉体を備えるとともに、
鍵により操作される錠部材の動作に連動して、前記扉体の開放を規制する施錠状態と、前記扉体の開放を許容する解錠状態とに切換わる施錠装置が前記固定枠又は前記扉体の左右他側部に設けられる遊技機であって、
前記扉体の開放を検知する扉体開放検知手段を、少なくともその一部が前記錠部材の高さ位置又はそれより下方位置に位置し、かつ、前記施錠装置の近傍に又は前記施錠装置に略隣接した状態で配置したことを特徴とする遊技機。
【００１２】
一般的に、施錠装置の錠部材は操作しやすいように比較的下方に配置されている。また、上記課題で述べた線材等を用いた不正行為は、見つかりにくいように、不正行為者が座席に着席した状態で遊技を行っているように見せ掛けつつ遊技機の下部から線材等を遊技機内部に進入させる等して行われるが一般的である。
【００１３】
従って、上記手段１のように扉体開放検知手段を配置することにより、扉体開放検知手段の位置がより下方かつ開放側（左右他側部側）に近くなるため、扉体を僅かに開く程度でもその開放を検知しやすい。従って、扉体全体が僅かに開かれた状態はもちろんのこと、扉体の開放側下部のみを僅かに開いた状態でも当該開放を検知することができる。さらに構成によっては、施錠装置を不正に解錠しようとして、扉体の開放側下部近傍のみを強制的に撓ませた段階における検知も可能となる。結果として、扉体の開放検知性能が向上し、ひいては上記不正行為を早期発見することが可能となる。
【００１４】
なお、上記「左右一側部」とは、左右方向における一方側を指し、「左右一側部」が例えば「右側部」であれば、「左右他側部」は「左側部」となる。逆に、「左右一側部」が「左側部」であれば、「左右他側部」は「右側部」となる。また、錠部材の例としては、鍵が挿入されて回動操作されるシリンダ錠などが挙げられる。
【００１５】
手段２．前記施錠装置の前記左右方向一側部側に前記扉体開放検知手段を配置したことを特徴とする手段１に記載の遊技機。
【００１６】
上記手段１のように扉体開放検知手段を扉体の開放側下部に配置させた場合には、上記作用効果を得る反面、セル板等によって扉体開放検知手段のスイッチ部等を押圧し続け、扉体の開放が検知されないようにして上記不正行為を行うことが容易になるおそれがある。これに対し、上記手段２のように、施錠装置の左右方向一側部側、すなわち遊技機の内方側に扉体開放検知手段を配置することにより、前述した不具合の発生を抑えることができる。
【００１７】
手段３．前記施錠装置に設けられた係合部と、当該係合部に対応して設けられた前記固定枠側又は前記扉体側の被係合部とが係合することにより、前記扉体が施錠状態となる構成であって、
前記扉体開放検知手段を、少なくともその一部が、前記係合部と前記被係合部とが係合する高さ位置に位置した状態で配置したことを特徴とする手段２に記載の遊技機。
【００１８】
上記手段３によれば、セル板等を扉体開放検知手段へより回し込みにくくすることができ、上記手段２の作用効果をさらに高めることができる。
【００１９】
手段４．固定枠に対し左右一側部にて開閉可能に支持された遊技機本体と、
前記遊技機本体の前面側において、当該遊技機本体に対し前記左右一側部にて開閉可能に支持された前扉体とを備えるとともに、
鍵により操作される錠部材と、前記固定枠に対し前記遊技機本体を施錠する本体施錠機構と、前記遊技機本体に対し前記前扉体を施錠する前扉体施錠機構とを具備し、前記鍵の第１の操作に応じた前記錠部材の動作に連動して前記本体施錠機構が施錠状態から解錠状態に切換わり、前記鍵の第２の操作に応じた前記錠部材の動作に連動して前記前扉体施錠機構が施錠状態から解錠状態に切換わる施錠装置が前記遊技機本体の左右他側部に沿って設けられる遊技機であって、
前記遊技機本体の開放を検知する本体開放検知手段と、前記前扉体の開放を検知する前扉体開放検知手段とを、少なくともその一部が前記錠部材の高さ位置又はそれより下方位置に位置し、かつ、前記施錠装置の近傍に又は前記施錠装置に略隣接した状態で配置したことを特徴とする遊技機。
【００２０】
上記手段４によれば、上記手段１と同様の作用効果が奏される。さらに、両開放検知手段を近くに配置することにより、当該開放検知手段を取付けるための取付部や、開放信号等を出力するための配線等を共通化することもでき、限られたスペースの有効利用や部品点数の削減などを図ることができる。
【００２１】
手段５．前記施錠装置の前記左右方向一側部側にて前記両開放検知手段を上下に並設したことを特徴とする手段４に記載の遊技機。
【００２２】
上記手段５によれば、上記手段２と同様の作用効果が奏される。また、両検知手段を上下に並設することにより、前後方向や左右幅方向のスペースをより有効利用することができる。
【００２３】
手段６．前記本体施錠機構に設けられた係合部と、当該係合部に対応して設けられた前記固定枠側の被係合部とが係合することにより、前記遊技機本体が施錠状態となり、
前記前扉体施錠機構に設けられた係合部と、当該係合部に対応して設けられた前記前扉体側の被係合部とが係合することにより、前記前扉体が施錠状態となる構成であって、
前記本体開放検知手段を、少なくともその一部が、前記本体施錠機構の係合部と前記固定枠の被係合部とが係合する高さ位置に位置した状態で配置し、
前記前扉体開放検知手段を、少なくともその一部が、前記前扉体施錠機構の係合部と前記前扉体の被係合部とが係合する高さ位置に位置した状態で配置しことを特徴とする手段５に記載の遊技機。
【００２４】
上記手段６によれば、上記手段３と同様の作用効果が奏される。
【００２５】
以下に、上記各手段が適用される各種遊技機の基本構成を示す。
【００２６】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００２７】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００２８】
Ｃ．上記各手段における前記遊技機、又は、上記各弾球遊技機は、パチンコ機又はパチンコ機に準ずる遊技機であること。
【００２９】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【００３０】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【発明の効果】
【００３１】
本発明によれば、扉体の開放検知性能を向上させることができる。
【図面の簡単な説明】
【００３２】
【図１】一実施形態におけるパチンコ機を示す正面図である。
【図２】パチンコ機の斜視図である。
【図３】パチンコ機の右側面図である。
【図４】前面枠セットを開放した状態を示す斜視図である。
【図５】内枠や前面枠セット等を開放した状態を示す斜視図である。
【図６】内枠及び遊技盤の構成を示す正面図である。
【図７】内枠の構成を示す背面図である。
【図８】パチンコ機の構成を示す背面図である。
【図９】電気的構成を示すブロック図である。
【図１０】前面枠セットを取外すとともに、施錠装置を取付溝部から取外した状態を示す斜視図である。
【図１１】前面枠セットを取外すとともに、施錠装置を取付溝部に取付けた状態を示す斜視図である。
【図１２】施錠装置を背面左側から見た斜視図である。
【図１３】外枠の全体を示す斜視図である。
【図１４】パチンコ機の下部を示す部分正面図である。
【図１５】（ａ）は、前面枠セット閉鎖時の状態を示す図１４のＫ−Ｋ線部分断面図であり、（ｂ）は、前面枠セットがやや開放された状態を示す部分断面図である。
【図１６】（ａ）は、内枠閉鎖時の状態を示す図１４のＬ−Ｌ線部分断面図であり、（ｂ）は、内枠がやや開放された状態を示す部分断面図である。
【図１７】（ａ）は、内枠閉鎖時の状態における遊技機右下コーナー部を示す部分背面斜視図であり、（ｂ）は、その内枠がやや開放された状態における遊技機右下コーナー部を示す部分背面斜視図である。
【発明を実施するための形態】
【００３３】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、前面枠セット１４を開放した状態を示す斜視図であり、図５は、内枠１２、前面枠セット１４、第２制御基板ユニット２０２及び裏パックユニット２０３を開放した状態を示す斜視図である。但し、図４，５では便宜上、遊技盤３０面上に配設される釘や役物、膨出部４０に配設される発射装置７０や球通路７１などを省略して示している。
【００３４】
図１乃至図５に示すように、パチンコ機１０は、当該パチンコ機１０の外郭を構成する固定枠としての外枠１１を備えており、この外枠１１の一側部に扉体としての内枠１２が開閉可能に支持されている。なお、内枠１２と、これに取付けられる遊技盤３０や裏パックユニット２０３などの各種構成部材により本実施形態における遊技機本体が構成される。
【００３５】
ここで、外枠１１について図面を参照しつつ説明する。本実施形態における外枠１１は、図１３に示すように上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。図１３は外枠１１の全体を示す斜視図である。
【００３６】
ここで、左辺枠構成部１１ｃ及び右辺枠構成部１１ｄについてより詳しく説明する。左辺枠構成部１１ｃ及び右辺枠構成部１１ｄは、原料となるアルミニウム合金を高温・高圧下のもと所定断面形状で押出形成し、この押出成形材を所定寸法に切断し、切削加工等によりネジ止め用のネジ孔など細かい箇所を加工して得られる。従って、左辺枠構成部１１ｃ及び右辺枠構成部１１ｄは、それぞれ長手方向に略一様な断面形状となっている。
【００３７】
また、図１３に示すように、左辺枠構成部１１ｃの上下端部には、それぞれ上ヒンジ８１及び下ヒンジ８２が取着されている。当該上ヒンジ８１及び下ヒンジ８２にて、内枠１２の上下部が回動可能に支持されており、これにより内枠１２が開閉可能となる。そして、外枠１１の内側に形成される空間部に、内枠１２や裏パックユニット２０３など遊技機の本体部が収容される。
【００３８】
また、右辺枠構成部１１ｄには、その前後方向後端部近傍から外枠１１内側へ向け突出した遮蔽部材としての延出壁部８３０が形成されている。延出壁部８３０は、施錠装置６００に対応する上下区間全域を内枠１２の背面側から覆っている（図８参照）。
【００３９】
図１３に示すように、延出壁部８３０の前面側には、施錠装置６００の内枠鉤部６３７，６３８に対応して、上下一対の鉤受部８４，８５が設けられている。鉤受部８４，８５は、箱状をなし、その前面部には内枠鉤部６３７，６３８が進入する鉤孔部８４ａ，８５ａが形成されている。これにより、内枠鉤部６３７，６３８は、鉤孔部８４ａ，８５ａを介して鉤受部８４，８５内に進入した状態で、当該鉤受部８４，８５の内側（鉤孔部８４ａ，８５ａ周縁）にて係止される。内枠鉤部６３７，６３８が鉤受部８４，８５に係合した状態では、鉤受部８４，８５の周壁部が内枠鉤部６３７，６３８の周囲を囲んだ状態となる。
【００４０】
なお、本実施形態では、上記ヒンジ８１，８２や鉤受部８４，８５として、アルミニウム合金製の外枠１１本体よりも剛性の高いステンレス合金等の鋼鉄製のものが採用されている。
【００４１】
さて、外枠１１の下辺枠構成部１１ｂには、樹脂製の幕板飾り８６が取着されている。幕板飾り８６の上面奥部には、上方に突出するリブ８８が一体形成されている。これにより内枠１２との間に隙間が形成されにくくなっている。
【００４２】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００４３】
また、内枠１２の前面側には、前扉体（扉体）としての前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００４４】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００４５】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００４６】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００４７】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００４８】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００４９】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図９参照）が設けられるとともに、当該スピーカＳＰの前側にスピーカカバー２４が取着されている。
【００５０】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００５１】
次に、内枠１２（樹脂ベース３８）について図６，図７を参照して説明する。図６は、内枠及び遊技盤の構成を示す正面図であり、図７は、内枠の構成を示す背面図である。
【００５２】
上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００５３】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００５４】
次に、遊技盤３０の構成について図６を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００５５】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００５６】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００５７】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００５８】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００５９】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００６０】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００６１】
内レール構成部５１の先端部分（図６の左上部）には戻り球防止部材５３が取着されている。これにより、一旦、レール５０から遊技盤３０の上部へと案内された遊技球が再度レール５０内に戻ってしまうといった事態が防止される。
【００６２】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００６３】
次に、パチンコ機１０の背面構成について図７，図８を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００６４】
なお、第１制御基板ユニット２０１、第２制御基板ユニット２０２及び裏パックユニット２０３は、ユニット単位で着脱できるように構成されるとともに、内枠１２又は遊技盤３０の裏面に対し個別に開閉できるように構成されている。図７，８に示すように、第２制御基板ユニット２０２の左側部（背面側右側部）には上下一対の支軸１９４が設けられており、この支軸１９４を内枠１２の左側部に設けられた上下一対の軸受け部１９５に上方から挿通させることで、第２制御基板ユニット２０２が内枠１２に対して開閉可能に支持される。同様に、裏パックユニット２０３の左側部には上下一対の支軸１９６が設けられており、この支軸１９６を内枠１２の左側部に設けられた上下一対の支持孔部１９７に上方から挿通させることで、裏パックユニット２０３が内枠１２に対して開閉可能に支持される。なお、第１制御基板ユニット２０１に関しても、遊技盤３０の背面側において開閉可能に支持されているが、ここでは便宜上、その開閉機構の図示を省略する。さらに、第２制御基板ユニット２０２及び裏パックユニット２０３に関しては、後述するように施錠装置６００により自身の右側部（背面側左側部）にて施錠される構成となっている。そして、両ユニット２０２，２０３が施錠状態にある場合には、第１制御基板ユニット２０１の背面側の大部分が裏パックユニット２０３により覆われた状態となり、第１制御基板ユニット２０１が着脱不能となっている。第２制御基板ユニット２０２及び裏パックユニット２０３は後扉体を構成する。
【００６５】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００６６】
また、遊技盤３０の裏面には、可変表示装置ユニット３５を取り囲むようにして裏枠セット２１５が取付けられている。この裏枠セット２１５は、遊技盤３０の裏面に張り付くようにして設けられる薄型の樹脂成形品であって、各種入賞口に入賞した遊技球を回収するための球回収機構２１６を備えている。また、第２制御基板ユニット２０２には、球回収機構２１６の下方位置において排出通路部２１７が形成されており、該排出通路部２１７には排出球をパチンコ機１０外部へ排出する排出シュート２１８が形成されている（図８参照）。従って、一般入賞口３１等に入賞した遊技球は何れも裏枠セット２１５の球回収機構２１６を介して集合し、さらに排出通路部２１７の排出シュート２１８を介してパチンコ機１０外部に排出される。なお、アウト口３６も同様に排出通路部２１７に通じており、何れの入賞口にも入賞しなかった遊技球も排出シュート２１８を介してパチンコ機１０外部に排出される。
【００６７】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００６８】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００６９】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００７０】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００７１】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００７２】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００７３】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００７４】
次に、裏パックユニット２０３の構成を説明する。裏パックユニット２０３は、樹脂成形された裏パック３５１と遊技球の払出機構部３５２とを一体化したものである。
【００７５】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００７６】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００７７】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００７８】
また、裏パックユニット２０３の背面側右上コーナー部には、遊技ホールのホールコンピュータなどに情報を送信するための外部中継端子板ＴＫが取着されている（図８参照）。便宜上、図示は省略するが、外部中継端子板ＴＫには、各種ケーブルコネクタが接続される外部接続端子が設けられている。
【００７９】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００８０】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００８１】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００８２】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、前面枠開放検知スイッチ９５１、内枠開放検知スイッチ９５２、外部中継端子板ＴＫ、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００８３】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００８４】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００８５】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００８６】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００８７】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００８８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００８９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００９０】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【００９１】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００９２】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【００９３】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００９４】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００９５】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【００９６】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００９７】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【００９８】
次に、内枠１２の施錠機構、前面枠セット１４の施錠機構、第２制御基板ユニット２０２及び裏パックユニット２０３の施錠機構について図面を参照して説明する。本実施形態では、内枠１２は外枠１１に対し施錠され、前面枠セット１４、第２制御基板ユニット２０２及び裏パックユニット２０３はそれぞれ内枠１２に対し施錠される。これらの施錠機構は単一の施錠装置６００によって具現化されている。後述するように施錠装置６００は、錠孔９７を介して前面枠セット１４の前面側に露出するシリンダ錠７００（図１等参照）を備えており、該シリンダ錠７００の鍵穴７０２に鍵を挿入し、一方に回動操作することで内枠１２、第２制御基板ユニット２０２及び裏パックユニット２０３を解錠でき、他方に回動操作することで前面枠セット１４を解錠できるようになっている。
【００９９】
施錠装置６００は、内枠１２の右側辺部前面側に取付けられている（図１０，１１参照）。図１２に示すように施錠装置６００の外郭を構成する縦長の基枠６０１は、内枠１２に固定される取付板６０２と、当該取付板６０２の内枠１２内方側（窓孔３９側）の端縁から後方に突出した支持板６０３と、取付板６０２の内枠１２外方側の端縁から後方に突出したフランジ部６０４とを備えており、これらが一体となって横断面略コ字状をなしている。なお、施錠装置６００を構成する基枠６０１などの各部材は、金属平板をプレス成形等することにより形成されている。なお、図１２は施錠装置６００を背面左側から見た斜視図である。
【０１００】
図１０，１５等に示すように、内枠１２の前面側には、施錠装置６００を取付けるための取付溝部９０１が右側辺部に沿って形成されている。取付溝部９０１には、複数のボス９０２が突設されている。これに対応して、取付板６０２には、複数のネジ孔９０３が穿設されている。これにより、施錠装置６００は、取付溝部９０１に嵌め込まれた状態でネジ９０４によりボス９０２に固定される。また、図１１，１５等に示すように、施錠装置６００が取付溝部９０１に嵌め込まれた状態では、支持板６０３及びフランジ部６０４がそれぞれ取付溝部９０１の側壁部９０１ｂ，９０１ｃに略当接状態となっている。図１０は、前面枠セット１４を取外すとともに、施錠装置６００を取付溝部９０１から取外した状態を示す斜視図である。図１１は、前面枠セット１４を取外すとともに、施錠装置６００を取付溝部９０１に取付けた状態を示す斜視図である。但し、図１０，１１では便宜上、遊技盤３０面上に配設される釘や役物、膨出部４０に配設される発射装置７０や球通路７１などを省略して示している。
【０１０１】
また、図７に示すように、取付溝部９０１の奥壁部９０１ａには、後述する基板ユニット鉤部６２０及び裏パック鉤部６２１，６２２に対応して、内枠１２の背面側へ貫通する挿通孔９０５，９０６，９０７が形成されている。これにより、基板ユニット鉤部６２０及び裏パック鉤部６２１，６２２は、挿通孔９０５，９０６，９０７を介して、内枠１２の背面側へ突出している。同様に、取付溝部９０１の奥壁部９０１ａには、内枠鉤部６３７，６３８に対応して挿通孔９０８，９０９が形成されており、内枠鉤部６３７，６３８は当該挿通孔９０８，９０９を介して、内枠１２の背面側へ突出している。
【０１０２】
ここで、先ず本実施形態における前扉体施錠機構を構成する前面枠セット１４の施錠機構に係る部分について説明する。図１２に示すように、基枠６０１の内側には、前面枠セット１４の施錠機構の主要構成部となる第１摺動杆６０５が上下方向に摺動可能なように配設されている。
【０１０３】
第１摺動杆６０５は、取付板６０２に略当接状態で摺動する取付側壁部６０６と、支持板６０３に略当接状態で摺動する支持側壁部６０７とからなり、横断面Ｌ字状をなす。
【０１０４】
また、取付側壁部６０６の内枠１２外方側の端縁部は、上述した取付板６０２のネジ孔９０３やボス９０２の妨げにならないように、これらに対応する複数箇所が切欠き状に凹んだ凹凸形状となっている。
【０１０５】
さて、第１摺動杆６０５には、取付側壁部６０６の上部、中部及び下部の３箇所に、前面枠セット１４施錠用の前面枠セット施錠部６１０，６１１，６１２が設けられている。これら前面枠セット施錠部６１０，６１１，６１２が本実施形態における前扉体施錠機構の係合部を構成する。
【０１０６】
図１１等に示すように、前面枠セット施錠部６１０，６１１，６１２には、それぞれ略矩形状の係合孔６１０ａ，６１１ａ，６１２ａが形成されている。また、取付板６０２には、前面枠セット施錠部６１０，６１１，６１２（係合孔６１０ａ，６１１ａ，６１２ａ）に対応して、上下方向３箇所に矩形状の挿入孔６３１，６３２，６３３が形成されている。そして、通常時には、係合孔６１０ａ，６１１ａ，６１２ａが取付板６０２の挿入孔６３１，６３２，６３３の上部に重なるように位置するとともに、前面枠セット施錠部６１０，６１１，６１２により挿入孔６３１，６３２，６３３の下部が塞がされた状態となっている。
【０１０７】
一方、前面枠セット１４の背面側左側辺部には、前面枠セット施錠部６１０，６１１，６１２に対応して、上下方向３箇所に前面枠セット鉤部１７ａ，１７ｂ，１７ｃが突設されている（図４等参照）。そして、前面枠セット１４を閉鎖する際においては、前面枠セット鉤部１７ａ，１７ｂ，１７ｃが、取付板６０２の挿入孔６３１，６３２，６３３を介して、前面枠セット施錠部６１０，６１１，６１２の係合孔６１０ａ，６１１ａ，６１２ａへ進入し、前面枠セット鉤部１７ａ，１７ｂ，１７ｃの係止爪部が前面枠セット施錠部６１０，６１１，６１２の背面側にて係止される。前面枠セット鉤部１７ａ，１７ｂ，１７ｃが本実施形態における前扉体の被係合部を構成する。
【０１０８】
次に、内枠１２の施錠機構、第２制御基板ユニット２０２の施錠機構及び裏パックユニット２０３の施錠機構に係る部分について説明する。基枠６０１の内側には、これらの施錠機構の主要構成部となる第２摺動杆６３５が上下方向に摺動可能なように配設されている。内枠１２の施錠機構が本実施形態における本体施錠機構を構成する。
【０１０９】
第２摺動杆６３５は、第１摺動杆６０５の支持側壁部６０７に重畳するように配設されるとともに、内枠１２施錠用の上下一対の内枠鉤部６３７，６３８と、第２制御基板ユニット２０２施錠用の基板ユニット鉤部６２０と、裏パックユニット２０３施錠用の裏パック鉤部６２１，６２２とを備えている。内枠鉤部６３７，６３８が本実施形態における本体施錠機構の係合部を構成する。
【０１１０】
内枠１２の施錠状態においては、内枠鉤部６３７，６３８が上記外枠１１の鉤受部８４，８５に係止され、内枠１２の開放が規制される。鉤受部８４，８５が本実施形態における固定枠の被係合部を構成する。
【０１１１】
また、第２制御基板ユニット２０２には、その前面側右側辺（図５参照）に沿って長尺状の受け金具２０５が取付けられている。受け金具２０５には、基板ユニット鉤部６２０に対応して、その下部に矩形状の係合孔２０５ａが形成されている。
【０１１２】
そして、第２制御基板ユニット２０２を閉鎖する際においては、基板ユニット鉤部６２０が受け金具２０５の係合孔２０５ａへ進入し、基板ユニット鉤部６２０の係止爪部が受け金具２０５の背面側にて係止される。これにより、第２制御基板ユニット２０２の施錠状態においては、基板ユニット鉤部６２０が受け金具２０５と係合し、第２制御基板ユニット２０２の開放が規制される。
【０１１３】
また、裏パックユニット２０３には、その前面側右側辺（図５参照）に沿って長尺状の受け金具２０４が取付けられている。受け金具２０４には、裏パック鉤部６２１，６２２に対応して、上下２箇所に矩形状の係合孔２０４ａが形成されている。
【０１１４】
そして、裏パックユニット２０３を閉鎖する際においては、裏パック鉤部６２１，６２２が受け金具２０４の各係合孔２０４ａへ進入し、裏パック鉤部６２１，６２２の係止爪部が受け金具２０４の背面側にて係止される。これにより、裏パックユニット２０３の施錠状態においては、裏パック鉤部６２１，６２２が受け金具２０４と係合し、裏パックユニット２０３の開放が規制される。
【０１１５】
なお、第１摺動杆６０５及び第２摺動杆６３５は、付勢手段としてのコイルばねＣ１により、それぞれ上方又は下方へ付勢されている。より詳しくは、上記コイルばねＣ１の引張力によって、通常時には、第１摺動杆６０５は、自身の基準位置において下方への動作が抑えられた状態で保持されている。一方、第２摺動杆６３５は、自身の基準位置において上方への動作が抑えられた状態で保持されている。そして、後述するシリンダ錠７００が操作された場合には、コイルばねＣ１の引張力に抗して、第１摺動杆６０５が下方へ、又は第２摺動杆６３５が上方へ摺動変位する。
【０１１６】
さて、取付板６０２には、錠部材としてのシリンダ錠７００が取付けられている。シリンダ錠７００は、内部に鍵穴７０２を有してなる錠軸７０３を備えている。そして、鍵穴７０２に挿入される鍵の回動操作に伴って錠軸７０３が回動可能となる。
【０１１７】
また、錠軸７０３の後端部には、鍵穴７０２に挿入された鍵の回動動作を第１摺動杆６０５又は第２摺動杆６３５に伝達するカム板７２０が固定されている。
【０１１８】
カム板７２０は、上下一対の上係合爪７２０ａ及び下係合爪７２０ｂを備えている。これに合わせて、第１摺動杆６０５及び第２摺動杆６３５には、それぞれ係合爪７２０ａ，７２０ｂが係合可能な上下一対の係合孔７２７及び係合孔７２８が形成されている。
【０１１９】
次に、施錠装置６００の作用について詳しく説明する。先ず前面枠セット１４の施錠及び解錠について詳しく説明する。前面枠セット１４の施錠状態においては、第１摺動杆６０５が基準位置をとることにより、上述したように前面枠セット鉤部１７ａ，１７ｂ，１７ｃが前面枠セット施錠部６１０，６１１，６１２の係合孔６１０ａ，６１１ａ，６１２ａを介して、前面枠セット施錠部６１０，６１１，６１２の背面側にて係止され、前面枠セット１４の開放が規制されている〔図１５（ａ）参照〕。
【０１２０】
そして、前面枠セット１４を解錠する際には、シリンダ錠７００の鍵穴７０２に鍵を挿入し、パチンコ機１０の正面側（図１参照）から見て反時計回り方向に回動させる。この操作が本実施形態における第２の操作に相当する。これにより、カム板７２０が同方向に回動し、上係合爪７２０ａがコイルばねＣ１の引張力に抗して第１摺動杆６０５を下方へ押し下げていく。
【０１２１】
第１摺動杆６０５が下方へ摺動すると、すべての前面枠セット施錠部６１０，６１１，６１２と、前面枠セット鉤部１７ａ，１７ｂ，１７ｃとの係合が解除され、前面枠セット１４の開放が許容される解錠状態となる〔図１５（ｂ）参照〕。
【０１２２】
次に内枠１２の施錠及び解錠について詳しく説明する。内枠１２の施錠状態においては、第２摺動杆６３５が基準位置をとることにより、内枠鉤部６３７，６３８が外枠１１の鉤受部８４，８５に係合され、内枠１２の開放が規制されている〔図１６（ａ）、図１７（ａ）参照〕。
【０１２３】
そして、内枠１２を解錠する際には、シリンダ錠７００の鍵穴７０２に鍵を挿入し、パチンコ機１０の正面側から見て時計回り方向に回動させる。この操作が本実施形態における第１の操作に相当する。これにより、カム板７２０が同方向に回動し、下係合爪７２０ｂがコイルばねＣ１の引張力に抗して第２摺動杆６３５を上方へ押し上げていく。第２摺動杆６３５が上方へ摺動すると、内枠鉤部６３７，６３８と、鉤受部８４，８５との係合が解除され、内枠１２の開放が許容される解錠状態となる〔図１６（ｂ）、図１７（ｂ）参照〕。
【０１２４】
次に第２制御基板ユニット２０２及び裏パックユニット２０３の施錠及び解錠について詳しく説明する。
【０１２５】
第２制御基板ユニット２０２の施錠状態においては、内枠１２の場合と同様に第２摺動杆６３５が基準位置をとることにより、基板ユニット鉤部６２０が第２制御基板ユニット２０２の受け金具２０５に係合され、第２制御基板ユニット２０２の開放が規制されている。
【０１２６】
同様に、裏パックユニット２０３の施錠状態においては、第２摺動杆６３５が基準位置をとることにより、裏パック鉤部６２１，６２２が裏パックユニット２０３の受け金具２０４に係合され、裏パックユニット２０３の開放が規制されている。
【０１２７】
そして、第２制御基板ユニット２０２及び裏パックユニット２０３を解錠する際には、内枠１２を開放させた後、内枠１２の場合と同様にシリンダ錠７００の鍵穴７０２に挿入した鍵をパチンコ機１０の正面側から見て時計回り方向に回動させる。これにより、カム板７２０が同方向に回動し、下係合爪７２０ｂがコイルばねＣ１の引張力に抗して第２摺動杆６３５を上方へ押し上げていくと、基板ユニット鉤部６２０と受け金具２０５との係合が解除され、第２制御基板ユニット２０２の開放が許容されるとともに、裏パック鉤部６２１，６２２と受け金具２０４との係合が解除され、裏パックユニット２０３の開放が許容される。
【０１２８】
なお、内枠１２等の閉鎖手順としては、開状態にある内枠１２を閉じていき、内枠鉤部６３７，６３８の頭部の傾斜部位が鉤受部８４，８５の鉤孔部８４ａ，８５ａの下縁部にぶつかると、第２摺動杆６３５に上方向への外力が加わり、第２摺動杆６３５がコイルばねＣ１の引張力に抗して上方へ摺動する。そして、内枠鉤部６３７，６３８の頭部が鉤受部８４，８５の鉤孔部８４ａ，８５ａの下縁部を乗り越えると、第２摺動杆６３５がコイルばねＣ１の引張力により元の位置に戻る。これにより、内枠鉤部６３７，６３８が鉤受部８４，８５に係止され、内枠１２が閉状態となる。もちろん、前面枠セット１４や、第２制御基板ユニット２０２、裏パックユニット２０３の施錠に関しても同様の施錠方法で行うことができる。
【０１２９】
さて、本実施形態では、図１４等に示すように、内枠１２の下部には、前面枠セット１４の開放を検知するための前面枠開放検知スイッチ９５１と、内枠１２の開放を検知するための内枠開放検知スイッチ９５２とが取付けられている。前面枠開放検知スイッチ９５１が本実施形態における前扉体開放検知手段（扉体開放検知手段）を構成し、内枠開放検知スイッチ９５２が本体開放検知手段（扉体開放検知手段）を構成する。
【０１３０】
より詳しくは、前面枠開放検知スイッチ９５１及び内枠開放検知スイッチ９５２は、施錠装置６００の左側（取付溝部９０１の左側の側壁部９０１ｂ）に沿って上下に並設されている。また、前面枠開放検知スイッチ９５１及び内枠開放検知スイッチ９５２は、前面枠セット１４の施錠時におけるハンドル１８の回動軸Ｄ１の位置よりも右側に位置している（図１５等参照）。
【０１３１】
さらに、前面枠開放検知スイッチ９５１及び内枠開放検知スイッチ９５２は、シリンダ錠７００の高さ位置Ｈ１より下方に配置されている（図１４参照）。より詳しくは、前面枠開放検知スイッチ９５１は、最下側の前面枠セット鉤部１７ｃと、これに対応する最下側の前面枠セット施錠部６１２とが係合する高さ位置Ｈ２に合わせて配置されている（図３参照）。同様に、内枠開放検知スイッチ９５２は、下側の内枠鉤部６３８と、これに対応する下側の鉤受部８５とが係合する高さ位置Ｈ３に合わせて配置されている（図３参照）。
【０１３２】
また、前面枠開放検知スイッチ９５１及び内枠開放検知スイッチ９５２は、図１５，１６に示すように、左右方向略同一位置に配置されるとともに、前後方向にややずらして配置されている。なお、図１５（ａ）は、前面枠セット１４閉鎖時の状態を示す図１４のＫ−Ｋ線部分断面図であり、図１５（ｂ）は、その前面枠セット１４がやや開放された状態を示す部分断面図である。また、図１６（ａ）は、内枠１２閉鎖時の状態を示す図１４のＬ−Ｌ線部分断面図であり、図１６（ｂ）は、その内枠１２がやや開放された状態を示す部分断面図である。なお、図１６では、便宜上、ハンドル１８を断面でなく平面図示している。
【０１３３】
前面枠開放検知スイッチ９５１及び内枠開放検知スイッチ９５２は、それぞれスイッチ本体部より突出する検知部としてのスイッチ部９５１ａ，９５２ａを有している。そして、前面枠開放検知スイッチ９５１は、スイッチ部９５１ａが前方に向くように、スイッチ本体部を固定する取付部材９５１ｂを介して、内枠１２に設けられた取付部９６１に嵌め込まれた状態でネジ等により固定されている。同様に、内枠開放検知スイッチ９５２は、スイッチ部９５２ａが後方へ向くように、スイッチ本体部を固定する取付部材９５２ｂを介して、内枠１２に設けられた取付部９６２に嵌め込まれた状態でネジ等により固定されている。
【０１３４】
また、前面枠開放検知スイッチ９５１及び内枠開放検知スイッチ９５２は、それぞれ図示しない信号線により主制御装置２６１の入出力ポート５０５と接続されており、スイッチ部９５１ａ，９５２ａが図１５（ｂ），図１６（ｂ）に示すように突出状態にある場合にはオン信号を出力し、スイッチ部９５１ａ，９５２ａが図１５（ａ），図１６（ａ）に示すようにスイッチ本体部側に押圧された状態ではオフ信号を出力するように構成されている。
【０１３５】
かかる構成により、前面枠開放検知スイッチ９５１は、図１５（ａ）に示すように前面枠セット１４の閉鎖時において、スイッチ部９５１ａが前面枠セット１４の背面で押圧されてオフ状態となり、図１５（ｂ）に示すように前面枠セット１４の開放時には、スイッチ部９５１ａが突出状態に戻ってオン状態となる。これにより、前面枠セット１４の開放が検知可能となる。
【０１３６】
同様に、内枠開放検知スイッチ９５２は、図１６（ａ）に示すように内枠１２の閉鎖時において、スイッチ部９５２ａが鉤受部８５に一体形成された押圧部８５ｂによって押圧されてオフ状態となり〔図１７（ａ）参照〕、図１６（ｂ）に示すように内枠１２の開放時には、スイッチ部９５２ａが突出状態に戻ってオン状態となる〔図１７（ｂ）参照〕。これにより、内枠１２の開放が検知可能となる。
【０１３７】
そして、主制御装置２６１は、前面枠開放検知スイッチ９５１又は内枠開放検知スイッチ９５２によって前面枠セット１４又は内枠１２の開放が検知された場合には、当該検知情報に基づき、サブ制御装置２６２を介して前面枠セット１４の前面に設けられた報知手段としてのエラー表示ランプ１０４を点灯制御するとともに、外部中継端子板ＴＫを介して遊技ホールのホールコンピュータに対し、前面枠セット１４又は内枠１２が開放された旨の信号を出力する。
【０１３８】
以上詳述したように、本実施形態では、前面枠開放検知スイッチ９５１及び内枠開放検知スイッチ９５２が、施錠装置６００の左側（取付溝部９０１の左側の側壁部９０１ｂ）に隣接した状態で上下に並設されている。そして、前面枠開放検知スイッチ９５１及び内枠開放検知スイッチ９５２は、シリンダ錠７００の高さ位置Ｈ１より下方で、ハンドル１８の回動軸Ｄ１の位置よりも右側に位置している。このように前面枠開放検知スイッチ９５１及び内枠開放検知スイッチ９５２を配置することにより、前面枠セット１４又は内枠１２を僅かに開く程度でもその開放を検知しやすい。従って、線材等を進入させる不正行為が行われやすいハンドル１８の近傍、すなわち前面枠セット１４又は内枠１２の右下部近傍のみを僅かに開いた状態でも当該開放を検知することができる。結果として、前面枠セット１４及び内枠１２の開放検知性能が向上し、ひいては前記不正行為を早期発見することが可能となる。
【０１３９】
なお、本実施形態のように前面枠開放検知スイッチ９５１及び内枠開放検知スイッチ９５２を内枠１２の右下部に配置させた場合には、上記作用効果を得る反面、セル板等によって前面枠開放検知スイッチ９５１又は内枠開放検知スイッチ９５２のスイッチ部９５１ａ，９５２ａを押圧し続け、前面枠セット１４又は内枠１２の開放が検知されないようにして上記不正行為を行うことが容易になるおそれがある。これに対し、本実施形態では、最下側の前面枠セット鉤部１７ｃと、これに対応する最下側の前面枠セット施錠部６１２とが係合する高さ位置Ｈ２に合わせて前面枠開放検知スイッチ９５１を配置し、下側の内枠鉤部６３８と、これに対応する下側の鉤受部８５とが係合する高さ位置Ｈ３に合わせて内枠開放検知スイッチ９５２を配置している。これにより、セル板等を前面枠開放検知スイッチ９５１又は内枠開放検知スイッチ９５２の方へ回し込みにくくすることができ、前述した不具合の発生を抑えることができる。
【０１４０】
なお、上述した実施形態の記載内容に限定されず、例えば次のように実施してもよい。
【０１４１】
（ａ）上記実施形態では、内枠１２の施錠機構、前面枠セット１４の施錠機構、第２制御基板ユニット２０２の施錠機構及び裏パックユニット２０３の施錠機構が単一の施錠装置６００によって具現化されている。しかしながら、施錠装置６００の構成は上記実施形態に限定されるものではなく、異なる構成を採用してもよい。例えば、上記実施形態では、前面枠セット１４の施錠機構に関し、前面枠セット１４側に、爪部を有する前面枠セット鉤部１７ａ，１７ｂ，１７ｃが設けられ、施錠装置６００側に、前記爪部と係合する前面枠セット施錠部６１０，６１１，６１２が設けられているが、施錠装置６００側に爪部を有する鉤部材を設け、前面枠セット１４側に当該爪部と係合する受部を設けてもよい。この場合、解錠の際には、施錠装置６００側の鉤部材が動作することとなる。もちろん、第２制御基板ユニット２０２や裏パックユニット２０３の施錠機構に関しても同様である。
【０１４２】
（ｂ）上記実施形態では、内枠１２の前面側に施錠装置６００が取付けられる構成となっているが、これに限らず、施錠装置６００が内枠１２の背面側に取付けられる構成としてもよい。
【０１４３】
（ｃ）上記実施形態では、前面枠開放検知スイッチ９５１又は内枠開放検知スイッチ９５２によって前面枠セット１４又は内枠１２の開放が検知された場合には、エラー表示ランプ１０４を点灯して、その旨を報知する。これに限らず、例えば報知手段としてスピーカＳＰを用いて、音声によって前面枠セット１４又は内枠１２が開放された旨を報知してもよい。
【０１４４】
（ｄ）上記実施形態では、前面枠開放検知スイッチ９５１及び内枠開放検知スイッチ９５２が、施錠装置６００の左側（取付溝部９０１の左側の側壁部９０１ｂ）に隣接した状態で上下に並設されるとともに、シリンダ錠７００の高さ位置Ｈ１より下方で、ハンドル１８の回動軸Ｄ１の位置よりも右側に位置している。前面枠開放検知スイッチ９５１及び内枠開放検知スイッチ９５２の配置位置はこれに限定されるものではない。
【０１４５】
例えば、前面枠開放検知スイッチ９５１及び内枠開放検知スイッチ９５２の少なくとも１つを施錠装置６００の右側に配置した構成としてもよい。
【０１４６】
また、前面枠開放検知スイッチ９５１及び内枠開放検知スイッチ９５２の少なくとも１つの配置位置がシリンダ錠７００の高さ位置Ｈ１に達してしてもよい。
【０１４７】
また、前面枠開放検知スイッチ９５１及び内枠開放検知スイッチ９５２の少なくとも１つが、施錠装置６００からやや離間して当該施錠装置６００の近傍に配置された構成としてもよい。
【０１４８】
また、前面枠開放検知スイッチ９５１や内枠開放検知スイッチ９５２の配置位置が、前面枠セット鉤部１７ｃと前面枠セット施錠部６１２との係合高さ位置Ｈ２や、内枠鉤部６３８と鉤受部８５との係合高さ位置Ｈ３から離れた位置であってもよい。
【０１４９】
また、前面枠開放検知スイッチ９５１及び内枠開放検知スイッチ９５２の配置位置が、前後方向略同一位置でもよいし、左右方向ずれていてもよい。
【０１５０】
また、前面枠開放検知スイッチ９５１及び内枠開放検知スイッチ９５２が同一高さ位置で前後方向に並設された構成としてもよい。
【０１５１】
（ｅ）上記実施形態とは異なるタイプのパチンコ機として実施してもよい。また、パチンコ機以外にも、アレンジボール機、それに類する雀球等の各種遊技機、スロットマシン等の回胴式遊技機、スロットマシンとパチンコ機とを融合した形式の遊技機などとして実施してもよい。
【符号の説明】
【０１５２】
１０…パチンコ機、１１…外枠、１２…内枠、１４…前面枠セット、６００…施錠装置、７００…シリンダ錠、９５１…前面枠開放検知スイッチ、９５２…内枠開放検知スイッチ。
【図１】
2020089756.tif 000003
【図２】
2020089756.tif 000004
【図３】
2020089756.tif 000005
【図４】
2020089756.tif 000006
【図５】
2020089756.tif 000007
【図６】
2020089756.tif 000008
【図７】
2020089756.tif 000009
【図８】
2020089756.tif 000010
【図９】
2020089756.tif 000011
【図１０】
2020089756.tif 000012
【図１１】
2020089756.tif 000013
【図１２】
2020089756.tif 000014
【図１３】
2020089756.tif 000015
【図１４】
2020089756.tif 000016
【図１５】
2020089756.tif 000017
【図１６】
2020089756.tif 000018
【図１７】
2020089756.tif 000019